【事件の表示】
　特許第３０９３２８６号「フォトブース及び撮影方法」の請求項１ないし６に係る特許に対する特許異議の申立てについて、次のとおり決定する。
【結　論】
　訂正を認める。
　特許第３０９３２８６号の請求項１ないし６に係る特許を維持する。
【理　由】
［１］手続の経緯
　本件特許３０９３２８６号の請求項１ないし６に係る発明についての出願は、平成１０年５月６日（優先件主張平成９年５月９日、平成９年６月２５日、９年７月２９日、日本国）を国際出願とする出願であって、平成１２年７月２８日にその特許の設定登録がなされ、その後、中山健三より特許異議の申立がなされ、取消理由が通知され、その指定期間内である平成１３年８月２１日に訂正請求（後日取下げ）がなされた後、再度の取消理由が通知され、その指定期間内である平成１３年１０月９日に訂正請求がなされたものである。
　
［２］訂正の適否についての判断
［２−１］訂正の内容
　特許権者が求めている訂正の内容は、以下のとおりの訂正事項である。
（１）特許請求の範囲の請求項１ないし６を、
「【請求項１】　表示装置の表示映像を被撮影者に視認させつつ前記被撮影者を撮影可能に配置した１つのカメラと、前記表示映像を印刷または印面などに再現する映像再現手段とからなり金銭投入スイッチにより作動するフォトブースにおいて、前記フォトブースには、前記１つのカメラにより同じ被撮影者の２回以上の撮影を行い、前記１つのカメラにより撮影した映像を一旦記憶
する、追加補正部が接続された
【請求項２】　表示装置の表示映像を被撮影者に視認させつつ前記被撮影者を撮影可能に配置した１つのカメラと、前記表示映像を
印刷に
し、かつ、前記映像再現手段は、前記金銭投入スイッチでカウントされた金額に応じて決定される撮像映像の印刷領域の印刷に必要な長さに、被印刷物を適宜切断して、印刷枚数として所望の印刷枚数を払い出す
【請求項３】　表示装置の表示映像を被撮影者に視認させつつ前記被撮影者を撮影可能に配置した１つのカメラと、前記表示映像を印刷または印面などに再現する映像再現手段とからなり金銭投入スイッチにより作動するフォトブース
であって、かつ、当該フォトブースはタイマーシャッタを備え、そのタイマーシャッタのシャッタタイミングは当該フォトブースからの音声によって使用者がタイミングを取れるフォトブース
【請求項４】　表示装置の表示映像を被撮影者に視認させつつ使用者の操作によりカメラで第１回目の被撮影者の撮影を行い、この撮影した映像を第１の映像処理部で一旦記憶し、次に、表示装置の表示映像を被撮影者に視認させつつ使用者の操作により、前記第１回目の撮影を行ったカメラと同一のカメラで第２回目の被撮影者の撮影を行い、撮影した映像から人物映像だけを切り取り第２の映像処理部で記憶し、前記第１の映像処理部に記憶した映像に、第２の映像処理部に記憶した映像を上書きし、前記第１回目の被撮影者の撮影を行った映像と、第２回目の被撮影者の撮影を行った映像とを合成する
と共に、前記第２の映像処理部の記憶部への更なる書き換えがなくなってから、当該記憶部に記憶された映像電子情報に基づき追加補正を行う
フォトブースにおける
【請求項５】　
前記追加補正は、前記合成した場合にコントラストでの違和感が生じることを低減する補正を行うものである
フォトブースにおける
【請求項６】　表示装置の表示映像を被撮影者に視認させつつ使用者の操作によりカメラで第１回目の被撮影者の撮影を行い、この撮影した映像を第１の映像処理部で一旦記憶し、次に、表示装置の表示映像を被撮影者に視認させつつ
、フォトブースからの音声によりシャッタタイミングを知らせ、
フォトブースにおける
と訂正する。
　
［２−２］訂正の目的の適否、新規事項の有無及び拡張・変更の存否
　訂正後の請求項１は、特許明細書の段落番号（００８７）の記載に基いて、特許明細書の請求項１の「記憶部」を「
追加補正部が接続された
　訂正後の請求項２は、特許明細書の段落番号（００１９）（００２８）（００３０）の記載に基いて、特許明細書の特許請求の範囲の請求項１の「印刷または印面などに再現する映像再現手段」を「印刷に再現する映像再現手段」に限定し、さらに「
かつ、前記映像再現手段は、前記金銭投入スイッチでカウントされた金額に応じて決定される撮像映像の印刷領域の印刷に必要な長さに、被印刷物を適宜切断して、印刷枚数として所望の印刷枚数を払い出す
  訂正後の請求項３は、特許明細書の段落番号（００６３）の記載に基いて、特許明細書の特許請求の範囲の請求項１の「フォトブース」を「
かつ、当該フォトブースはタイマーシャッタを備え、そのタイマーシャッタのシャッタタイミングは当該フォトブースからの音声によって使用者がタイミングを取れるフォトブース
  訂正後の請求項４は、特許明細書の段落番号（００８７）の記載に基いて、特許明細書の特許請求の範囲の請求項５の「撮影方法」を「フォトブースにおける撮影方法」と限定し、さらに「
前記第２の映像処理部の記憶部への更なる書き換えがなくなってから、当該記憶部に記憶された映像電子情報に基づき追加補正を行う
  訂正後の請求項５は、特許明細書の段落番号（００９１）の記載に基いて、特許明細書の特許請求の範囲の請求項５を限定した上記訂正後の請求項４を、さらに、「
前記追加補正は、前記合成した場合にコントラストでの違和感が生じることを低減する補正を行うものである
  訂正後の請求項６は、特許明細書の段落番号（００７２）の記載に基いて、特許明細書の特許請求の範囲の請求項５の「撮影方法」を「フォトブースにおける撮影方法」と限定し、さらに「
フォトブースからの音声によりシャッタタイミングを知らせ
　上記訂正は、特許明細書の記載に基づいて、特許請求の範囲を更に限定したものであるので、特許請求の範囲の減縮に該当するものであって、新規事項の追加に該当せず、実質的に特許請求の範囲を拡張又は変更するものではない。
　
［２−３］
　以上のとおりであるから、上記訂正は、特許法第１２０条の４第２項及び第３項で準用する特許法第１２６条第２項ないし第３項の規定に適合するので、当該訂正を認める。
　
［３］特許異議の申立についての判断
［３−１］申立の理由の概要
　申立人中山健三は、証拠として、甲第１号証（特願平９−１１６７６９号（特開平１０−３０８９１１号公報）、以下「先願明細書」という。）を提出し、特許請求の範囲の請求項１ないし６に係る発明についての特許は、特許法第２９条の２の規定に違反してなされたものであり、また請求項２および４に係る発明についての特許は、特許法第３６条第６項の規定に違反してなされたものであるので、特許を取り消すべきものと主張している。
　
［３−２］本件発明
　特許第３０９３２８６号の請求項１ないし６に係る発明（以下、それぞれ「本件発明１ないし６」という。）は、上記訂正による訂正明細書の特許請求の範囲の請求項１ないし６に記載された事項により特定される次のとおりのものである。　
「【請求項１ないし６】　上記［２−１］のとおり。」
　
［３−３］先願明細書
　本件発明１ないし６に対して、当審が通知した取消理由で引用した、本件出願前の出願であってその出願後に出願公開された願書に最初に添付した明細書又は図面である上記先願明細書には、「撮影画像印刷装置」に関して、
（１）「（請求項１）人物を含む画像を撮影する撮影手段と、該撮影手段で撮影した画像から人物の画像だけを切り出す画像処理手段と、次に前記撮影手段で撮影した画像に、前記画像処理手段が切り出した切出画像を合成する画像合成手段と、該画像合成手段が合成した画像を印刷する印刷手段と、を備えたことを特徴とする撮影画像印刷装置。（請求項２）前記画像処理手段が切り出した画像を記憶する記憶手段を備え、前記画像合成手段は、該記憶手段が記憶している画像を切出画像として合成する手段である請求項１に記載の撮影画像印刷装置」（特許請求の範囲）が記載され、より具体的には、
（２）　図１には、ビデオカメラ１と、モニタ３と、制御装置４と、ビデオプリンタ５と、コインボックス７とを備えた撮影画像印刷装置が示され、
（３）　「ビデオカメラ１は、ガラス窓９に向いている利用者の顔を常時撮影しており、利用者はモニタ３に映し出されるリアルタイムの映像を見て、気に入ったポーズのときにシャッタボタン３２をオンする。」（公開公報３頁左欄４３〜４７行）、
（４）　「ビデオプリンタ５はこの画像データを４×４または５×５のシール用紙に印刷する。」（同４頁右欄１８〜１９行）、
（５）　「コインボックスに所定の金額が投入されたとき、コインボックス７の信号により撮影動作や印刷動作が許可される。」（同２頁右欄３５〜３７行）、
（６）　「合成モードとは、ビデオカメラ１で撮影した複数（この例では２つ）の画像を合成して印刷するモードである。この合成モードの２つの画像は、ビデオカメラ１で２回連続して撮影して取り込んでもよく、一方を利用者の記憶媒体であるフロッピィディスク２５に既に記憶されているものから読み込んでもよい。」（同３頁右欄３８〜４４行）、
（７）　「撮影処理動作（ｓ７）で撮影された画像は装置内のＶＲＡＭ２３に一次保存されるが、別途合成用の切出画像データとして利用者のフロッピーディスク２４に書き込むことができる。」（同４頁左欄３２〜３５行）、
（８）　１回目に撮影した映像と２回目に撮影した映像とを合成する撮影処理動作の各工程（同４頁左欄４６行〜右欄９行、同２６行〜５頁左欄６行、図４、図５）および
（９）利用者（被撮影者）がモニタ３に表示される映像を見ながらシャッターボタン３２をオンすることで、ビデオカメラ１により第１回目の被撮影者の撮影を行い、撮影した映像をＶＲＡＭ２３等に一旦記憶する旨（同４頁左欄１０〜３５行）が記載されている。
　
［３−４］本件発明１と先願明細書との対比・判断
　本件発明１と先願明細書に記載された発明とを対比すると、先願明細書の「モニタ」「ビデオカメラ、撮影手段」「ビデオプリンタ、印刷手段」「コインボックス」「ＶＲＡＭやフロッピーディスク」「ＣＰＵ、画像合成手段」「撮影画像印刷装置」は、それぞれ本件発明１の「表示装置」「１つのカメラ」「映像再現手段」「金銭投入スイッチ」「記憶部」「合成回路」「フォトブース」に相当している。
　しかしながら、本件発明１は、「１つのカメラにより撮影した映像を一旦記憶
する、追加補正部が接続された
　よって、本件発明１は、先願明細書に記載された発明であるとすることはできない。
　
［３−５］本件発明２と先願明細書との対比・判断
　本件発明２と先願明細書に記載された発明とを対比すると、本件発明１と同様、先願明細書の「モニタ」「ビデオカメラ、撮影手段」「ビデオプリンタ、印刷手段」「コインボックス」「ＶＲＡＭやフロッピーディスク」「ＣＰＵ、画像合成手段」「撮影画像印刷装置」は、それぞれ本件発明２の「表示装置」「１つのカメラ」「映像再現手段」「金銭投入スイッチ」「記憶部」「合成回路」「フォトブース」に相当している。
　しかしながら、本件発明２は、「フォトブース」が「
映像再現手段は、金銭投入スイッチでカウントされた金額に応じて決定される撮像映像の印刷領域の印刷に必要な長さに、被印刷物を適宜切断して、印刷枚数として所望の印刷枚数を払い出す
　よって、本件発明２は、先願明細書に記載された発明であるとすることはできない。
　
［３−６］本件発明３と先願明細書との対比・判断
　本件発明３と先願明細書に記載された発明とを対比すると、本件発明１と同様、先願明細書の「モニタ」「ビデオカメラ、撮影手段」「ビデオプリンタ、印刷手段」「コインボックス」「ＶＲＡＭやフロッピーディスク」「ＣＰＵ、画像合成手段」「撮影画像印刷装置」は、それぞれ本件発明３の「表示装置」「１つのカメラ」「映像再現手段」「金銭投入スイッチ」「記憶部」「合成回路」「フォトブース」に相当している。
　しかしながら、本件発明３は、「フォトブース」が「
タイマーシャッタを備え、そのタイマーシャッタのシャッタタイミングは当該フォトブースからの音声によって使用者がタイミングを取れるフォトブース
　よって、本件発明３は、先願明細書に記載された発明であるとすることはできない。
　
［３−７］本件発明４と先願明細書との対比・判断
　本件発明４と先願明細書に記載された発明とを対比すると、先願明細書の「モニタ」「ビデオカメラ、撮影手段」「制御装置」「ＶＲＡＭやフロッピーディスク」「撮影画像印刷装置」は、それぞれ本件発明４の「表示装置」「カメラ」「映像処理部」「記憶部」「フォトブース」に相当している。
　しかしながら、本件発明４は、「
第２の映像処理部の記憶部への更なる書き換えがなくなってから、記憶部に記憶された映像電子情報に基づき追加補正を行う
　よって、本件発明４は、先願明細書に記載された発明であるとすることはできない。
　
［３−８］本件発明５と先願明細書との対比・判断
　本件発明５は本件発明４を引用する請求項であり、本件発明４と同様、先願明細書に記載された発明であるとすることはできない。
　
［３−９］本件発明６と先願明細書との対比・判断
　本件発明６と先願明細書に記載された発明とを対比すると、本件発明４と同様、先願明細書の「モニタ」「ビデオカメラ、撮影手段」「制御装置」「ＶＲＡＭやフロッピーディスク」「撮影画像印刷装置」は、それぞれ本件発明６の「表示装置」「カメラ」「映像処理部」「記憶部」「フォトブース」に相当している。
　しかしながら、本件発明６は、「
フォトブースからの音声によりシャッタタイミングを知らせ
　よって、本件発明６は、先願明細書に記載された発明であるとすることはできない。
　
［３−１０］記載不備
　特許明細書の請求項２および４については、訂正請求により実質的に削除され、訂正後の訂正明細書の各請求項の記載は、明確であり、特許法第３６条第６項に規定する要件を満たしている。
　
［４］むすび
　以上のとおりであるから、特許異議申立の理由及び証拠によっては、本件請求項１ないし６に係る発明の特許を取り消すことはできない。
　また、他に本件請求項１ないし６に係る発明の特許を取り消すべき理由を発見しない。
　よって、結論のとおり決定する。
【異議決定日】
平成１３年１０月１１日（２００１．１０．１１）
【訂正の要旨】
　特許請求の範囲の全体を以下のように訂正する。
　【特許請求の範囲】
　【請求項１】　表示装置の表示映像を被撮影者に視認させつつ前記被撮影者を撮影可能に配置した１つのカメラと、前記表示映像を印刷または印面などに再現する映像再現手段とからなり金銭投入スイッチにより作動するフォトブースにおいて、
　前記フォトブースには、前記１つのカメラにより同じ被撮影者の２回以上の撮影を行い、前記１つのカメラにより撮影した映像を一旦記憶
する、追加補正部が接続された
　【請求項２】　表示装置の表示映像を被撮影者に視認させつつ前記被撮影者を撮影可能に配置した１つのカメラと、前記表示映像を
印刷に
　前記フォトブースには、前記１つのカメラにより同じ被撮影者の２回以上の撮影を行い、前記１つのカメラにより撮影した映像を一旦記憶する記憶部を備え、前記記憶部に記憶した２回以上の撮影により得られた映像を合成回路により合成可能に構成
し、かつ、前記映像再現手段は、前記金銭投入スイッチでカウントされた金額に応じて決定される撮影映像の印刷領域の印刷に必要な長さに、被印刷物を適宜切断して、印刷枚数として所望の印刷枚数を払い出す
　【請求項３】　表示装置の表示映像を被撮影者に視認させつつ前記被撮影者を撮影可能に配置した１つのカメラと、前記表示映像を印刷または印面などに再現する映像再現手段とからなり金銭投入スイッチにより作動するフォトブース
であって、かつ、当該フォトブースはタイマーシャッタを備え、そのタイマーシャッタのシャッタタイミングは当該フォトブースからの音声によって使用者がタイミングを取れるフォトブース
　前記フォトブースには、前記１つのカメラにより同じ被撮影者の２回以上の撮影を行い、前記１つのカメラにより撮影した映像を一旦記憶する記憶部を備え、前記記憶部に記憶した２回以上の撮影により得られた映像を合成回路により合成可能に構成することを特徴とするフォトブース。
　【請求項４】　表示装置の表示映像を被撮影者に視認させつつ使用者の操作によりカメラで第１回目の被撮影者の撮影を行い、この撮影した映像を第１の映像処理部で一旦記憶し、次に、表示装置の表示映像を被撮影者に視認させつつ使用者の操作により、前記第１回目の撮影を行ったカメラと同一のカメラで第２回目の被撮影者の撮影を行い、撮影した映像から人物映像だけを切り取り第２の映像処理部で記憶し、前記第１の映像処理部に記憶した映像に、第２の映像処理部に記憶した映像を上書きし、前記第１回目の被撮影者の撮影を行った映像と、第２回目の被撮影者の撮影を行った映像とを合成すると共に、
前記第２の映像処理部の記憶部への更なる書き換えがなくなってから、当該記憶部に記憶された映像電子情報に基づき追加補正を行う
フォトブースにおける
　【請求項５】　
前記追加補正は、前記合成した場合にコントラストでの違和感が生じることを低減する補正を行うものである
フォトブースにおける
　【請求項６】　表示装置の表示映像を被撮影者に視認させつつ使用者の操作によりカメラで第１回目の被撮影者の撮影を行い、この撮影した映像を第１の映像処理部で一旦記憶し、次に、表示装置の表示映像を被撮影者に視認させつつ
、フォトブースからの音声によりシャッタタイミングを知らせ、
フォトブースにおける
（５４）【発明の名称】
フォトブース及び撮影方法
（５７）【特許請求の範囲】
　【請求項１】　表示装置の表示映像を被撮影者に視認させつつ前記被撮影者を撮影可能に配置した１つのカメラと、前記表示映像を印刷または印面などに再現する映像再現手段とからなり金銭投入スイッチにより作動するフォトブースにおいて、
　前記フォトブースには、前記１つのカメラにより同じ被撮影者の２回以上の撮影を行い、前記１つのカメラにより撮影した映像を一旦記憶
する、追加補正部が接続された
　【請求項２】　表示装置の表示映像を被撮影者に視認させつつ前記被撮影者を撮影可能に配置した１つのカメラと、前記表示映像を
印刷に
　前記フォトブースには、前記１つのカメラにより同じ被撮影者の２回以上の撮影を行い、前記１つのカメラにより撮影した映像を一旦記憶する記憶部を備え、前記記憶部に記憶した２回以上の撮影により得られた映像を合成回路により合成可能に構成
し、かつ、前記映像再現手段は、前記金銭投入スイッチでカウントされた金額に応じて決定される撮影映像の印刷領域の印刷に必要な長さに、被印刷物を適宜切断して、印刷枚数として所望の印刷枚数を払い出す
　【請求項３】　表示装置の表示映像を被撮影者に視認させつつ前記被撮影者を撮影可能に配置した１つのカメラと、前記表示映像を印刷または印面などに再現する映像再現手段とからなり金銭投入スイッチにより作動するフォトブース
であって、かつ、当該フォトブースはタイマーシャッタを備え、そのタイマーシャッタのシャッタタイミングは当該フォトブースからの音声によって使用者がタイミングを取れるフォトブース
　前記フォトブースには、前記１つのカメラにより同じ被撮影者の２回以上の撮影を行い、前記１つのカメラにより撮影した映像を一旦記憶する記憶部を備え、前記記憶部に記憶した２回以上の撮影により得られた映像を合成回路により合成可能に構成することを特徴とするフォトブース。
　【請求項４】　表示装置の表示映像を被撮影者に視認させつつ使用者の操作によりカメラで第１回目の被撮影者の撮影を行い、この撮影した映像を第１の映像処理部で一旦記憶し、次に、表示装置の表示映像を被撮影者に視認させつつ使用者の操作により、前記第１回目の撮影を行ったカメラと同一のカメラで第２回目の被撮影者の撮影を行い、撮影した映像から人物映像だけを切り取り第２の映像処理部で記憶し、前記第１の映像処理部に記憶した映像に、第２の映像処理部に記憶した映像を上書きし、前記第１回目の被撮影者の撮影を行った映像と、第２回目の被撮影者の撮影を行った映像とを合成すると共に、
前記第２の映像処理部の記憶部への更なる書き換えがなくなってから、当該記憶部に記憶された映像電子情報に基づき追加補正を行う
フォトブースにおける
　【請求項５】　
前記追加補正は、前記合成した場合にコントラストでの違和感が生じることを低減する補正を行うものである
フォトブースにおける
　【請求項６】　表示装置の表示映像を被撮影者に視認させつつ使用者の操作によりカメラで第１回目の被撮影者の撮影を行い、この撮影した映像を第１の映像処理部で一旦記憶し、次に、表示装置の表示映像を被撮影者に視認させつつ
、フォトブースからの音声によりシャッタタイミングを知らせ、
フォトブースにおける
【発明の詳細な説明】
　【０００１】
　【発明の属する技術分野】
　この発明は、自らの顔などを、内蔵するカメラで撮影し、この撮影した映像と予め用意された前景や背景或は前記カメラで撮影した映像との合成映像をシール紙やスタンプ面あるいはレーザ加工表面に表現するフォトブース及びフォトブースにおける写真撮影方法に関する。
　【０００２】
　【従来の技術】
　従来この種のフォトブースとしては、国際公開番号ＷＯ９０／１０２５１（特表平４−５０６２６４号）が知られている。
　【０００３】
　この発明は、硬貨あるい代用硬貨の挿入により作動し、そのフォトブースに備えられたカメラで撮影された映像と、背景又は前景あるいは補助的写真と重ね合わせた複合写真を得ることが開示されている。
　【０００４】
　前記プリンタのプリントは、プリント紙上にデジタル画像データがカラードットで表現される。
　【０００５】
　上述した娯楽的なフォトブースは、そのプリント紙をハーフカットされたシール紙を採用し、前記背景又は前景あるいは補助的写真に有名なキャラクタや遊び心を擽るような面白いフレームとすることにより、若者を中心に近年人気が広がっている。
　【０００６】
　一方で、このような人気の上昇に伴い、様々なフォトブースが市場に供給されているが、それぞれのフォトブース間での差別化を取るために各供給メーカは上述したようなフォトブースに独自のアイデアを盛り込みオリジナリティ性を追求するようにしている。
　【０００７】
　【発明が解決しようとする課題】
　この発明は、上記課題に鑑み、上述したフォトブースに全く新しいアイデアを盛り込むことを目的としている。
　【０００８】
　以上説明したように、従来から知られているフォトブースに対し、他のフォトブースとは差別化が行える全く新しいフォトブースを提供するために、本発明では、以下のような構成を採用している。
　【０００９】
　すなわち、本発明は、カメラと、このカメラからの撮影映像を表示する表示装置と、当該表示映像を印刷または印面などに再現する映像再現手段とからなり金銭投入スイッチにより作動するフォトブースにおいて、前記フォトブースには、前記カメラで２回以上撮影した映像をそれぞれ別個に記憶する映像処理部を備え、当該映像処理部で記憶した映像を合成する合成回路とを有することを特徴とする。
　【００１０】
　つまり、この発明では、上述した差別化を図れるフォトブースを提供するため、以下のような使用目的に合致したフォトブースを提供しようとするものである。具体的には、証明写真撮影機としてよりもアミューズメントとしての様相が大きくなって来た最近のフォトブースでは、従来の証明写真と利用されるものと異なり複数人で撮影する場合が多く、前記カメラで撮影できる狭い撮影領域に複数人が写るように立って撮影を行うことがある。しかしながら、全ての人が撮影の瞬間に自分の好みのポーズが撮れていることは希で、再度金銭を投入して撮り直しを行うか、ある程度のポーズで我慢するしかなかった。フォトブースによっては数回の撮り直しを行えるものもあるが、数回内で全ての人が好みのポーズを取ることは難しい。この難しい理由としては、撮影される複数人が同一のシャッタチャンスに揃って好みのポーズを取る必要があるためである。
　【００１１】
　また、従来のフォトブースでは、当該ブースに予め用意されている前景又は背景を使用しないで、自分の気に入った柄のカーテンをカメラに対しての背景として他の人に持ってもらい、その柄を背景にして撮影するなどの遊び方も良く行われるが、前述したように背景に好みの柄を持ってこようとすると、他人の助けが必要となってしまい、いわゆる自立型の映像合成装置としての役割を果たせない問題がある。
　【００１２】
　上述した発明では、カメラと、このカメラからの撮影映像を表示する表示装置と、当該表示映像を印刷または印面などに再現する映像再現手段とからなり金銭投入スイッチにより作動するフォトブースシステムにおいて、前記フォトブースには、前記カメラで２回以上撮影した映像をそれぞれ別個に記憶する映像処理部を備え、当該映像処理部で記憶した映像を合成する合成回路とを有するものであるから、（１）例えば、２人以上で撮影する場合には、複数人が同一のシャッタチャンスを逃さずにポーズを取る必要がなく、それぞれが別々のシャッタチャンスで好みのポーズ作り撮影を行え、合成することができる。（２）また、例えば、２回とも同じ人物を撮影した場合には、一つの映像の中に同じ人物が２人入ったファンタジックな映像を得ることができる。さらに、背景として好みの柄のカーテンを手で持って撮影し、その柄を背景とした自分の映像と合成し、従来のフォトブースでは２人以上必要であった撮影を一人で撮影することができるといったメリットがある。
　【００１３】
　さらに、別の発明では、前記映像処理部の少なくとも１つには、背景除去コントローラを有し、この背景除去コントローラによって、前記カメラで撮影した映像から背景を切り取り人物映像のみを残し記憶するように構成することを特徴としている。
　【００１４】
　フォトブースシステムの少なくとも１つには、背景除去コントローラによって背景を除去された人物映像だけが記憶されるから、他のフォトブースシステムで記憶された映像を合成する場合、他のフォトブースシステムで撮影された映像を背景として人物映像が溶け込んだ映像を作成することができる。また、背景を除去された人物映像を他の映像に上書きする簡単な制御で合成映像が作成可能となる。
　【００１５】
　さらに、別の発明では上述した発明に加え、前記フォトブースには、ロジック映像発生部を設け、このロジック映像発生部には予め用意された前景又は背景電子情報が記憶されていることを特徴としている。この構成により、この前景又は背景電子情報を合成した２つ以上の映像に、例えば「愛してる」「結婚記念」とかのタイトル文字や撮影日時などを更に合成することが可能となる。
　【００１６】
　また、前記合成回路は、前記複数の映像処理部に記憶されたそれぞれの映像と、前記ロジック映像発生部から選択された背景又は前景の映像電子情報とを定められた優先順位で合成することを特徴としている。前記合成回路は、前記複数の映像処理部に記憶されたそれぞれの映像と、前記ロジック映像発生部から選択された背景又は前景の映像電子情報とを定められた優先順位で合成するようにしているから、素人が優先順位を誤って前述した背景を除去した人物映像の上に背景を上書きしてしまうなどの操作誤りを防止することができうる。
　【００１７】
　加えて他の発明では、金銭投入スイッチへの金銭投入により作動し、使用者の操作によりカメラで第１回目の撮影を行い、この撮影した映像を第１の映像処理部で一旦記憶し、次に使用者の操作により前記カメラで第２回目の撮影を行い、撮影した映像から人物映像だけを切り取り、第２の映像処理部で切り取った人物映像を記憶し、前記第１の映像処理部に記憶した映像に、第２の映像処理部に記憶した映像を上書きして合成する写真撮影方法を提供するものである。この発明によれば、２回の撮影によって得られた映像をその場で合成することが可能となる。
　【００１８】
　また別の発明では、金銭投入スイッチへの金銭投入により起動し、３つ以上の映像合成を開始する自立型の映像合成装置における映像合成方法において、前記３つ以上の映像を固定する各段階では、先に固定した映像とカメラで撮影している映像とをリアルタイムで合成しながら表示装置で表示させ、その表示映像をシャッタボタン又はシャッタタイマにより固定することを特徴とするものである。
　【００１９】
　次に、差別化を図る目的として、本発明者は、印刷枚数として所望の印刷枚数を払い出すフォトブースを提案している。
　【００２０】
　一般に、上述したフォトブースは、４×４の１６分割で各ブロックに撮影した映像を印刷するようにしている。つまり、４ブロックだけの合成映像を印刷するとか、２４ブロックの印刷を行えるように切り替えが可能で、その切り替えに応じてカット紙の大きさを変更できるようなフォトブースは存在しなかった。
　【００２１】
　このような主な要因としては、一般的にこの種のフォトブースに使用される印刷手段として昇華型サーマルヘッドを用いたものが多いことが上げられると考えられる。詳細理由については、第１７、１８図を参照して以下に説明する。
　【００２２】
　サーマルヘッドＴを用いた昇華型のカラープリント方式の場合、イエロー、マジェンダ、シアンの３色を繰り返し連続して配置したインクリボンＲが使用される。前記インクリボンの幅Ｗ１は、シール紙Ｕの幅Ｗより大きく且つ、それぞれの色のインクリボンＲに占める長さＬ１は、シール紙Ｕの長さＬより長く設定されている。この理由は、前記シール紙ＵにインクリボンＲを覆うように配置し、サーマルヘッドＴで前記インクリボンＲに付着する顔料を昇華させ、その昇華した顔料をシール紙Ｕの前記受像層Ｕ１の表面に付着させることにより印刷を行うため、その印刷の範囲がインクリボンＲでシール紙Ｕを覆える範囲に限られてしまうためである。また、インクリボンＲに占める各色の長さＬ１を予め極めて長く設定しておけば、シール紙Ｕの長さＬが多少長くなっても対応することが可能であることは明らかであるが、前記長さＬ１を長くしすぎると、サーマルヘッドＴのカラー印刷がイエロ、マジェンダ、シアンの３色のインクリボンＲを巻き取りながら印刷を行う関係から、インクリボンＲの巻き取りに時間がかかり、印刷スピードを遅くしてしまう他、インクリボンＲの使用効率が悪くなるなどの問題がある。
　【００２３】
　したがって、従来のフォトブースで印刷可能なシール紙Ｕの最大の大きさが、インクリボンＲの幅Ｗ１や各色の長さＬ１によって、一義的に定まってしまう。このように一義的に定まってしまうことから、１枚のシール紙Ｕに印刷できるブロックＦ数以上の合成映像を印刷したものが必要な場合は、コインを再度投入して同じ操作を繰り返し、もう一枚のシール紙Ｕを得なければならない。この場合、２０ブロックの合成映像が必要であった時には、２枚のシール紙Ｕで３２ブロックの合成映像を得なければならないことになるから１２ブロックの合成映像が無駄になってしまう問題が起こり得る。
　【００２４】
　前述したシール紙Ｕは、第１７図し示すようにシール基材層Ｕ３と受像層Ｕ１とはハクリ自在に構成され、しかも、受像層Ｕ１はシール基材層Ｕ３に対して複数のブロックＦごとに別々に剥がせるように構成されている。
　【００２５】
　このハクリ自在を可能とするためにブロックＦの周囲にはハーフカットＵ５が施されている。前記複数のブロックＦには、前記合成映像がそれぞれ印刷される。
　【００２６】
　また、上述した昇華型のプリンタを用いたものの他、このようなフォトブースに類似した装置として、カメラで撮影したネガを印画紙に焼き付けたものを得る、いわゆる写真を作成する自己証明写真撮影装置などが存在するが、このような自己証明写真撮影装置においても必要な数の写真を、その自己証明写真撮影装置を使用する人の必要性に応じて得ることができるような装置は存在しない。
　【００２７】
　以上のような問題点に鑑み、使用者の必要な枚数だけを、払い出す機能をフォトブースに加えることにより、他のフォトブースとの差別化が図れるのではないかと考えなされたのが以下の発明である。
　【００２８】
　【課題を解決するための手段】
　この発明は、一つの筐体内に金銭カウント手段と、撮影手段及び印刷手段とを備え、前記撮影手段により撮影した撮影映像を被印刷物に前記印刷手段で印刷するフォトブースにおいて、前記被印刷物は、一定の幅を有しロール状に巻き取られた状態で前記筐体内に収納され、前記金銭カウント手段でカウントされた金額に応じて決定される撮影映像の印刷領域の印刷に必要な長さに、前記ロール状に巻き取られた状態から切断手段により適宜切断するようにしてなることを特徴とする。
　【００２９】
　この発明によれば、被印刷物を効率的に切り出すことが可能となり、被印刷物として高価なシール紙などを採用した場合でも、無駄にシール紙を費やすことが低減できる効果がある。
　【００３０】
　つまり、金銭カウンタに投入されたコインや紙幣などの金銭によって、印刷領域の印刷に必要なだけの被印刷物を切断手段により切断し切り出すことが可能となる。
　【００３１】
　このように印刷する領域により自由に長さを変更することが可能であるから、今まで知られているフォトブースのように、メーカ側が定めた大きさの印刷領域に印刷するような押し付け的なプレーではなく、顔だけであれば顔だけの映像を再現したり、全身を撮影した映像をシール紙等の被印刷物に印刷することが可能となる。
　【００３２】
　この場合、フォトブースのコントロールパネルの操作レバーや操作ボタンを使用者が操作して、全身モードや顔だけモードに切り替えることが可能なように構成することが考えられる。このようなモードの選択操作により、間接的に印刷サイズを使用者が容易に決定することが可能となる。
　【００３３】
　また、別の発明では、一つの筐体内に金銭カウント手段と、撮影手段及び印刷手段とを備え、前記撮影手段により撮影した撮影映像を被印刷物に前記印刷手段で印刷するフォトブースにおいて、前記被印刷物は、一定の幅を有しロール状に巻き取られた状態で前記筐体内に収納され、前記ロール状の被印刷物から順次繰り出される被印刷物に前記印刷手段が撮影映像を印刷する一方、前記被印刷物に印刷する撮影映像の長さは、前記金銭カウント手段でカウントされた金額に応じて決定され、前記印刷手段による印刷が終了すると、その被印刷物に印刷された領域を切断手段によって適宜切断することを特徴とする。
　【００３４】
　この構成によるフォトブースによれば、金銭カウンタに投入された金額、又は顔だけモードや全身モードを被撮影者である使用者が操作レバーや操作ボタンにより選択し、これにより決定された撮影映像を被印刷物にまず印刷し、当該印刷した被印刷物の部位だけを切り出すことが可能となる。したがって、被印刷物を効率的に切り出すことが可能となり、被印刷物として高価なシール紙などを採用した場合でも、無駄にシール紙を費やすことが低減できる効果がある。
　【００３５】
　さらに他の発明では、前記被印刷物には撮影映像を複数印刷し、前記複数印刷される撮影映像は、前記被印刷物に対しその幅方向にｍ（ｍ≧１）個づつ前記金銭カウント手段によってカウントされた金額に応じて、その長さ方向にｎ（ｎ≧１）回繰り返し印刷が施されることを特徴とする。この発明によれば、前記被印刷物に撮影映像を複数印刷し、前記複数印刷される撮影映像が、前記被印刷物に対しその幅方向にｍ個づつ前記金銭カウント手段によってカウントされた金額に応じて、その長さ方向にｎ回繰り返し印刷が施されるように構成されているから、そのフォトブースで撮影した撮影映像を印刷する使用者（プレーヤ）は、投入する金額に応じて必要な数の撮影映像を最小単位ｍ個で得ることができるようにすることができる。
　【００３６】
　また、差別化を図る目的として、本発明者は、印刷する大きさを使用者の判断により変更可能なフォトブースを提案している。
　【００３７】
　つまり、従来のシール作成機において作成されるシールは、紙性のシールであったのでＴシャツ等の布地に貼ると剥がれ易く、洗濯に耐えることができないものである。しかも、１枚のシールの複数の領域に印刷される各シールサイズは、全て同じ大きさのものか、或いは、予め定められた複数の異なるサイズのものが所定のレイアウトで印刷され、得られるシールサイズを使用者が選択できるシール作成機は存在しなかった。前述した、予め定められた異なるサイズとは、シール作成機側で運転免許証サイズや履歴書サイズなどの複数の大きさのものである。
　【００３８】
　このような一枚のシールに印刷されるシールのサイズは、予め一義的に装置側で定められたもので、使用者主導型で好みのサイズを決定できるまでには至っていない。
　【００３９】
　このようにシール作成機が、一定の大きさ、つまりシール作成機の装置側の印刷物しか出力しないものである。
　【００４０】
　これは、シール作成機が街角に置かれる証明写真システムを手本として考え出されたことに起因すると考えられるが、アイロンプリントシールの場合は、このように定められたサイズのアイロンプリントシールを印刷したのでは、使用者の好みや転写する布等の大きさ（サイズ）に十分対応できない問題がある。
　【００４１】
　つまりアイロンプリントシール作成機では、印刷するサイズ領域（大きさ）が大小様々なものに対応させることもさながら、同じＴシャツ用であっても、そのＴシャツに貼る図柄の大きさは使用者の好みで様々であるから、これらにある程度対応できることが重要な課題である。しかしながら、上記従来のシール作成機では、その用途の違いから使用者の好みの印刷出力サイズがシール作成機に内蔵するプリンタの出力最大サイズより大きくなることへの配慮は全く行われていないし、使用者が印刷される大きさを認識できるような構成は取られていない。
　【００４２】
　また、従来のアイロンプリントシールには、カメラで撮影するなどして得られた映像などを、その場でアイロンプリントシール原紙に印刷してアイロンプリントシールを作成するようなアイロンプリントシール作成機も存在しない。
　【００４３】
　以上のような課題を解決するため、この発明は、使用者が投入した料金を料金検知手段で検知することにより作動し、使用者の操作により図柄を印刷したアイロンプリントシールを払い出すアイロンプリントシール作成機において、前記アイロンプリントシール作成機は、図柄を印刷するためのプリンタヘッドと、当該プリンタヘッドでアイロンプリントシールに印刷するための前記図柄の電子情報を一旦記憶するメモリとを含み、前記メモリとプリンタヘッドとの間には、前記メモリで記憶した電子情報を、アイロンプリントシール原紙に印刷する大きさに応じて適宜分割して前記プリンタヘッドに出力する分割手段を備えてなることを特徴とする。
　【００４４】
　この構成によれば、使用者の好みに合った、アイロンプリントシール作成機に内蔵したプリンタの最大印刷サイズに左右されることなく、様々なサイズ領域での印刷に対応することができる。
　【００４５】
　したがって、アイロンプリントシールを熱圧着する対象の布地が爪やハンカチなどの比較的小さいものから、Ｔシャツやテーブルクロスなどの大きなものまで対応することが可能となる。
　【００４６】
　また、別の発明では、使用者が投入した料金を料金検知手段で検知することにより作動し、使用者の操作により図柄を印刷したアイロンプリントシールを作成するアイロンプリントシール作成機において、前記アイロンプリントシール作成機は、図柄を印刷するためのプリンタヘッドと、当該プリンタヘッドで印刷するための前記図柄の電子情報を一旦記憶するメモリと、前記印刷する大きさを使用者が決定するためのサイズ決定手段とを含み、前記メモリとプリンタヘッドとの間には、前記サイズ決定手段で決定された印刷する大きさに応じて、前記メモリで記憶した電子情報を拡大又は縮小して前記プリンタヘッドに出力する印刷サイズ変更手段を備えてなることを特徴とする。
　【００４７】
　この構成により、印刷出力するアイロンプリントシールのサイズが使用者自身のサイズ決定手段の操作によって決定されるので、熱圧着したい布のサイズや、図柄と布のサイズを考慮した使用者の好みに合ったアイロンプリントシールを、サイズ選択手段による自らの選択により得ることができる。
　【００４８】
　【発明の実施の形態】
（実施の形態１）
　本発明の一実施の形態１を第１図乃至第３図に基づいて以下に説明する。
　【００４９】
　第３図は、この映像合成装置の概略外観図を示し、図においてＡは縦長（横６２０ｃｍ、奥行き５８０ｃｍ、高さ１８５ｃｍ）の筐体であり、その前面の中央部には使用者としての被撮影者がフォトブースシステムを操作するための操作部Ｂが設けられ、その上方には撮影を行うための撮影ウインドウＣが設けられ、さらに前記操作部Ｂの下方（高さ約５０ｃｍ）には、撮影された映像が紙等に印刷された状態のシートを取り出すための取り出し口Ｄが設けられている。印刷される被印刷物としては、台紙の上に剥離自在に設けられるシール紙を使用する事が好ましい。また、このシール紙の上に複数の映像を印刷する場合には、印刷された複数の映像が単独且つ容易に剥離できるようにハーフカットされたシール紙を用いると良い。
　【００５０】
　また、この実施の態様では、映像を再現する手段としての映像再現手段として紙等に印刷するいわゆるビデオプリンタを用いたが、このようなプリンタＰに換え、スタンプの印面にネガ又はポジ状に撮影した映像を再現できる映像再現手段を採用することもできる。
　【００５１】
　前記スタンプの印面に映像を再現する方法としての一例を第４図を基に説明する。Ｓはスタンプ本体であり、このスタンプ本体Ｓにはインクを含浸させたインク層Ｓ１が設けられ、このインク層Ｓ１は樹脂シートＳ２で被覆されている。前記樹脂シートＳ２は複数の小孔が形成されており、この樹脂シートＳ２の外部に露出している部分が印面Ｓ２−１となる。この印面Ｓ２−１に端面に発熱ドットを形成した端面サーマルヘッドＴ′を押し当て、前記印面Ｓ２−１に設けられた小孔を埋めることにより映像を再現する。つまり、加工完了後にそのスタンプを紙などに押印すると、小孔を埋められた部位はインクが出ず、他の部位からはインクが浸み出して映像が再現されることになる。また、他の映像再現手段としては、木材や金属プレートに直接映像を彫刻するような手段を採用することもできる。
　【００５２】
　上記筐体Ａの内部の最下方には、フォトブースを行うための基板ユニットＥが収納されている。そして、その基板ユニットＥの上方にはプリンタＰが設けられ、そのプリンタＰの上に表示装置Ｇが、その表示画面Ｇ１を上方に向くように配置されている。
　【００５３】
　Ｈはハーフミラーであって、このハーフミラーＨによって前記表示画面Ｇ１に表示される前撮影ウインドウＣ側に反射するように斜めに配置されている。一方、前記ハーフミラーＨを挟んで撮影ウインドウＣの背面側にはＣＣＤカメラやビデオカメラ等のカメラが配置され、撮影ウインドウＣの前面に立つ撮影者の映像が前記ハーフミラーを通過し、カメラで撮影される。この時、被撮影者の像は、ハーフミラーＨを通過してカメラで撮影される他、その一部が前記表示画面Ｇ１側に反射されるが、被撮影者側には反射されない。被撮影者が撮影ウインドウＣで視認できるのは、ハーフミラーＨによって被撮影者側に反射される表示画面Ｇ１の表示映像のみである。前記表示装置Ｇとしては、この形態で採用しているブラウン管方式のＣＲＴの他、プラズマディスプレーや液晶などが使用可能である。
　【００５４】
　第２図に示すのは、本形態に示すフォトブースのフロー図である。後述する金銭投入スイッチに所定の金銭投入２されるまでは、前記表示画面Ｇ１にはタイトル画面１が表示されている。タイトル画面１には、このフォトブースで行えるゲームプレー内容などがデモンストレーションされ、使用者がこのゲームを行うことを促す。
　【００５５】
　金銭投入２が行われると、カラー選択画面３が前記表示画面Ｇ１に表示され、モノクロ化した撮影するかカラー撮影を行うかをこのカラー選択画面３で選択する。
　【００５６】
　カラー選択画面３での選択が終わると、次にモード選択画面４が前記表示画面Ｇ１に表示される。モード選択画面４で選択するのは、カメラＪで撮影した映像を背景として使用する第１のモードと、予め用意された背景を使用する第２のモードを選択する画面である。
　【００５７】
　次に第１のモードを選択した場合には、前景映像選択画面５が表示される。この前景映像選択画面５には、予め用意された複数の前景映像が前記表示画面Ｇ１に縮小された状態で複数映し出され、使用者がこの前景選択画面５を見ながら所望の前景映像を選択する。
　【００５８】
　そして、この前景映像の選択が終了すると、この文字等のメッセージ選択画面６が表示される。このメッセージは予め定められたメッセージが用意されており、その用意された複数のメッセージの中から所望のメッセージを操作部Ｂによって使用者が選択する。
　【００５９】
　メッセージを選択し終わると、前述した前景映像及びメッセージが合成されて表示画面Ｇ１に映し出され、使用者は操作部Ｂを操作して前景映像のどこの位置に選択したメッセージを位置させるかを決定するメッセージ位置確認画面７が表示される。メーセージ位置確認画面７を見ながら使用者がメッセージ位置を決定すると、前記選択した前景映像とメッセージとが合成され、この合成映像が前景として固定される。
　【００６０】
　前景の選択が終了すると、後に２回のカメラＪでの撮影を行い、１回目に撮影した映像が背景になり、２回目に撮影した映像が前景になることを説明する説明画面８が表示される。この表示はタイマーにより一定時間を経過すると第１回の撮影画面９が表示される。
　【００６１】
　第１回の撮影画面９には、前記前景が映し出され、表示画面Ｇ１上でカメラＪで撮影される映像とリアルタイムで合成される。このように、先に固定した前景を表示画面Ｇ１で表示させることにより、使用者はカメラＪに対し自ら動いてどの位置に第１回目の撮影映像を固定するかを決定する。この決定は、使用者の意志ではなく、この形態ではタイマーシャッタを用いて行われるようにしている。勿論、本発明がタイマーシャッタに限定されるものではなく、前記操作部Ｂを操作してシャッタを切る構成としても良いが、このようにタイマーシャッタを用いることにより、不用意に長いプレー時間となったり、使用者が緊張した顔とならず自然なポーズで撮影されるといった効果がある。特に、この手の遊技機製品としては、プレー時間は重要な解決課題であり、如何に使用者が扱い易く簡単に短時間でプレーできるかによって製品価値が変化する。
　【００６２】
　また、カメラＪで撮影するのは、前述した使用者でなく、他の気に入った柄のカーテンを写すこともできる。気に入った柄のカーテンを撮影した場合には、この柄が後述する第２回目の撮影映像と前記前景とを合成する背景となる。
　【００６３】
　第１回目の撮影映像が終了すると第２回目の撮影画面１０に移る。この第２回目の撮影画面１０には、前記前景と第１回目の撮影で固定された映像とが合成されて前記表示画面Ｇ１に表示される一方、この同一表示画面Ｇ１上の合成映像にカメラＪで撮される映像が、撮影された人物の像だけが切り取られてリアルタイムで合成される。このように先に固定された映像を表示画面Ｇ１上に表示し、表示画面Ｇ１上でこれから固定しようとする背景を切り取った人物画像をリアルタイムで合成表示することにより、前述したと同様に使用者はカメラＪに対し自ら動いてどの位置に第１回目の撮影映像を固定するかを決定することができる。この決定も前記第１回目の撮影と同様にタイマーシャッタで行われ、そのシャッタタイミングは音声「ハイチーズ」で使用者がタイミングを取れるようにしている。
　【００６４】
　この第２回目の撮影が終了すると、この撮影した映像は、前記前景と背景との間に挿入される中間映像をして固定され、表示画面Ｇ１には、これから印刷される映像が表示される撮影映像確認画面１１が表示され、音声で表示される映像を印刷して良いかどうかを決定させることを促す。
　【００６５】
　使用者はこの撮影映像確認画面１１を見て印刷了解を操作部Ｂで決定すると印刷が開始され、印刷中を示す印刷画面１２が表示され、印刷までのカウントダウンを表示する。
　【００６６】
　印刷が終了すると、前記タイトル画面に戻り、次の金銭投入を待つ。
　【００６７】
　以上のように、前景、背景とその間に挿入される映像は、後述する合成回路５０により制御部５１に予め用意されたプログラムによって定められる優先順位で合成が行われる。
　【００６８】
　以上が第１のモードが選択された場合の流れであり、次に第２のモードが選択された場合の流れを説明する。
　【００６９】
　第２のモードと第１のモードとの違いは、第１のモードで第１回目の撮影で得られた映像を背景としたが、これに換え第２のモードでは、予め用意された背景を使用者に選択させ、選択された映像を背景とする点で相違する。
　【００７０】
　前記モード選択画面４を見て使用者が第２のモードを選択すると、複数の背景が縮小されて表示画面Ｇ１に映し出される背景選択画面１３が表示される。使用者は、背景選択画面１３を見ながら所望の背景を選択する。
　【００７１】
　背景の選択が終了すると、前記前景映像選択画面５が表示される。この前景映像選択画面５からメッセージ位置確認画面７までの流れは、前述した第１のモードと同じである。
　【００７２】
　メッセージ位置確認画面７を見ながらのメッセージ位置の固定が終了すると、撮影画面１４が表示される。この撮影画面１４には、前記第２回目の撮影画面１０と同様に、先に選択固定した背景及び前景と、カメラＪで撮影されている映像とがリアルタイムで合成され表示画面Ｇ１に表示される。使用者は、ハーフミラーＨを介して撮影ウインドウ越しに表示画面Ｇ１の映像を視認できる。この表示画面Ｇ１の映像を見ながら、前景及び背景に対し被撮影者が自ら動いて最も気に入る合成位置を決め、音声等により知らされるシャッタタイミングに合わせてポーズを取り撮影を行う。撮影が終了すると、前記撮影映像確認画面１１が表示され、以下は前述した第１のモードと同じ流れが進行する。
　【００７３】
　前述した第２図においては、第１のモードにおいて、第１回目の撮影が背景の撮影、第２回目の撮影が背景を切り取られた人物映像の撮影を行うと説明したが、この形態に限らず、先に背景を切り取られた人物映像の撮影を行っても良い。
　【００７４】
　また前述した両モードにおける前景映像及びメッセージの選択や撮影の順番は、この形態の順番にこの発明が限定されることなく、順番を入れ替えてもこの発明の所定の目的が達成できることは言うまでもない。
　【００７５】
　第１図に示すのは、上記フォトブースのブロック図であり、上記第３図と同一符号のものは同様の構成を示している。
　【００７６】
　カメラＪで撮影される映像は、Ａ／Ｄコンバータ１５を介して、前記第１の撮影画面９を作成するための映像を一旦記憶する第１の映像処理部２０に接続される一方、第２の撮影画面１０を作成するための映像を一旦記憶する第２の映像処理部３０と接続されている。前記Ａ／Ｄコンバータは、カメラから得られてアナログ信号をデジタル信号に変換するものである。
　【００７７】
　４０はロジック映像発生部であって、前述した予め用意された前景や背景がこのロジック映像発生部４０から供給される。
　【００７８】
　前記第１の映像処理部２０、第２の映像処理部３０、ロジック映像発生部４０から供給される映像は、合成回路５０に集められ制御部５１の制御の基に合成が行われる。
　【００７９】
　５２は金銭投入スイッチとしてのコインセレクタ、５３は合成回路５０から供給されるカラー映像を操作部Ｂの操作によりモノクロ化することを制御部５１から命令された場合に、色調を変換するためのモノクロ制御部であり、合成回路５０とプリンタＰとの間に設けられている。また、合成回路５０と表示装置Ｇとの間には、Ｄ／Ａコンバータ５４が設けられている。このＤ／Ａコンバータは、この形態で使用する表示装置Ｇがアナログ信号を受けて映像を表示する装置を使用していることから必要となるもので、表示装置Ｇがデジタル信号を受けて映像を表示できるものを使用する場合は必要とならない。
　【００８０】
　次に、第１図に示す各構成について更に詳述する。前記ロジック映像発生部４０は、複数の前景映像及びメッセージを形成するための多種映像電子情報を記憶したキャラクタＲＯＭ４１と、このキャラクタＲＯＭ４１の映像電子情報を基に、前記操作部Ｂの操作により制御部５１を介して伝達される選択された前景映像等を作成するコントローラ４２と、この作成された映像を一旦記憶する第３の記憶部４３とから構成されている。
　【００８１】
　前記第２の映像処理部３０は、カメラＪで撮影された映像をＡ／Ｄコンバータ１５によりＡ／Ｄ変換し、この変換した映像電子情報から人物映像だけを残し背景を切り取る背景除去コントローラ３１と、この背景除去コントローラ３１によって切り取られた人物映像の電子情報のみを記憶する第２の記憶部３２とから構成されている。
　【００８２】
　前記背景除去コントローラ３１によって行われる背景除去は、一般的に周知なクロマキー法を用い、このクロマキー法を行うために、第３図の背景カーテンＫのカメラＪでの撮影される面はブルー色としている。このようにブルー色としたのは、クロマキー法が色調の変化を検出して切り取りを行う方法であり、一般的に知られるように人間の肌色と最も色調が明確に検出できるのがブルーと言われているからで、このブルー色に限らずクロマキー法により人物映像を切り取ることができれば他の色に変更しても良いのは勿論である。
　【００８３】
　また、第２の記憶部３２に人物映像のみを記憶させるというのは、背景の電子情報を第２の記憶部３２に有していないということではなく、背景として撮影されるブルー色を透明色に置き換えると説明することもできる。
　【００８４】
　つまり、第２の記憶部３２に記憶した映像電子情報を合成回路５０により背景に上書きする場合に、ブルー色で撮影された部分は透明であるから、該透明の部分で前記背景が優先され、その背景に透明が上書きされないように制御される。
　【００８５】
　第２の記憶部３２には、フィールドメモリを採用しており、前記背景コントローラ３１によって一画面（第２の記憶部３２のメモリ領域）を１／６０秒でブルーの単色背景部位を切り取りながらラスタ走査順各ピクセルごとに書き込まれると共に、書き込まれた前記ピクセルごとの映像電子情報は一画面分を１／６０秒で合成回路５０に送られ、他の背景や前景と合成されて前記表示画面Ｇ１に表示される。このように１／６０秒で背景の切り取りを行うようにしているのは、前述したように先に固定した背景や前景に被撮影者が自ら動いて位置決めを行わせるようにしているため、リアルタイムで背景を切り取り表示させる必要があるからである。
　【００８６】
　しかしながら、このような人間の目で見て違和感のない画面の書き換えを行う１／６０とか１／５０秒とかの短時間では、違和感なく背景を切り取ることは非常に難しい。すなわち、１／５０とか１／６０秒とかのリアルタイムで違和感なく背景を切り取るためには、その切り取りに複雑な計算を要するため、非常に処理速度の早い高価な計算機を必要とするなど問題がある。したがって、リアルタイムで表示画面Ｇ１に表示させるため、短時間で処理を終了させようと前述した複雑な計算の幾つかを簡略化した計算で間に合わせるしかない。しかしながら、このような簡略化した計算処理での背景抜きを行った場合には、抜き取られた人物映像の輪郭がギザギザで、明らかに背景を抜いた人物映像を他の背景等に合成したことが人目で明らかに分かってしまう問題がある。
　【００８７】
　そこで、本形態の更に好ましい例として、図１の点線で示す追加補正部３３を設けること良い。この追加補正部は第２の記憶部３２と入力側と出力側にそれぞれ接続され、被撮影者が第２回目の撮影映像を固定し、第２の記憶部３２への更なる書き換えがなくなってから、第２の記憶部３２に記憶された映像電子情報に基づき追加補正を行う。
　【００８８】
　この追加補正は、先に行った背景の切り取りの処理時間１／６０秒に比べて十分長い処理時間を取ることができるから、人物映像の輪郭のギザギザの違和感を少なくする。あるいは、隣接するピクセルの色調を比較し、誤って前述した背景抜き時に抜いてしまった可能性のあるピクセルを色補正する。この補正は隣り合うピクセルを考慮して補間処理を行うなどの追加処理を行い、再度、前記２の記憶部３２に戻し記憶させる。
　【００８９】
　つまり、この好ましい例では、前記背景除去コントローラ３１で簡単な計算による背景抜きを行い表示画面Ｇ１にリアルタイムで表示させ、使用者に対し切り取られた人物映像の位置決めを行わせ、位置決めが終了した後に、前記第２の記憶部３２の映像電子情報を基に追加補正部３３により更なる計算を施す追加補正を行い、第２の記憶部３２に戻すようにしている。この第２の記憶部３２に記憶される電子情報は、画面Ｇ１に表示しても違和感の少ない背景抜きした人物映像に処理されている。また、５３はプリンタコントローラであって、前記制御部５１の命令により、合成回路から送られる映像データをプリンタで再現するための制御を行う。
　【００９０】
　このように背景除去コントローラ３１によってカメラＪで撮影した映像から人物映像を簡単な計算で仮抜きした映像でリアルタイムに画面Ｇ１に表示させるようにしているから、背景や前景に被撮影者たる使用者が自ら動いて位置合わせすることが可能で、且つ、追加補正部３３により仮抜きした人物映像を追加補正するようにしているから、最終的にプリンタなどの映像再現手段で印刷物などに再現される場合には、違和感の少ない人物映像をして再現されるといったメリットがある。
　【００９１】
　前記背景除去コントローラ３１で行う簡略化された計算とは、ラスタ走査順に隣り合うピクセル色との比較を行い、カーテンＫの色であるブルーから人物の顔の色（肌色）との色調の変化を見ながら人物映像の輪郭を抽出し、背景を切り取るといった計算が考えられる。また、違和感のないような追加補正を行うとは、前述した補正のほか、輪郭のぼかしや輪郭の強調、合成回路５０で合成する前景や背景とのコントラストと比較し、合成した場合にコントラストでの違和感が生じることを低減する補正を行うなどが考えられる。
　【００９２】
　前記第１の記憶部２０は、カメラＪで撮影した第１回目の撮影映像を記憶する第１の記憶部２１のみから構成されている。しかしながらこのような構成に限らず前記背景除去コントローラ３１を設けて、ここでも他の被撮影者の人物映像だけを切り取り前記第１の記憶部２１に記憶させ、前記ロジック映像発生回路４０から抽出した背景に、第１の記憶部２１と第２の記憶部３２に記憶された２人の人物映像を重ね書きした合成映像を作成できるように構成することも可能である。
　【００９３】
（実施の形態２）
　第５図乃至第１０図に従って本発明の実施の形態２について以下に説明する。前述した実施の形態１と略同一の構成については、同一の符号を付して表している。第５図に示すのが本発明のフォトブースＡの正面図であり、このフォトブースＡは、遊技場や、観光地などに設置される。第６図に示すのは、フォトブースＡの内部の制御ブロック図である。第７図は、一定の幅を有しロール状に巻き取られた状態でフォトブースＡ内に収納されるシール紙Ａを順次繰り出し、切断から印刷を行う状態を模式的に示した斜視図で、第８図は第７図の平面図である。そして、第９図は、第７図及び第８図のように切断されたシール紙Ｕを印刷出力した状態を示す模式図である。第１０図はフォトブースＡの印刷出力までの流れを示すフロー図である。
　【００９４】
　第５図において、Ａはフォトブースであって、このフォトブースＡには、フォトブースＡの内部に、金銭カウント手段５２と、撮影手段Ｊ、及び印刷手段Ｐ、並びに切断手段２０とを主な構成として備えている。
　【００９５】
　金銭カウント手段５２は、第１図に示すようにフォトブースＡの正面にコイン投入口５２Ａと、コイン排出口５２Ｂとを備えており、前記コイン投入口５２Ａに所定金額以上のコインが投入されると、撮影（ゲームプレーとも言う）が開始される。所定金額とは、このフォトブースＡでは、最小単位の印刷枚数を印刷するに必要な金額のことで、この所定金額以下では撮影は開始されない。詳しくは、第９図に沿って後述する。
　【００９６】
　前記金銭カウント手段５２は、後述する印刷手段Ｐ及び切断手段６０に接続され、金銭カウント手段５２のコイン投入口５２Ａに投入されたコイン数に応じて前記印刷手段Ｐはその制御部Ｐ１が印刷ブロックＦの数を決定すると共に、前記切断手段６０は、決定された前記複数の印刷ブロックＦの印刷領域Ｎとして必要なシール紙Ｕの長さＬ分だけロール状に収納されたシール紙Ｕから繰り出し切断する。前記撮影手段Ｊは、ＣＣＤカメラで構成され、第５図において手前側に立った被撮影者を撮影し、この撮影した撮影映像の電子データは合成手段６５を介して印刷手段Ｐに転送される。
　【００９７】
　この態様１では、ＣＣＤカメラを採用しているが、これに限らずビデオカメラなど適宜採用することが可能である。
　【００９８】
　前記合成手段６５は本発明の必須の構成ではないが、この合成手段６５を撮影手段Ｊと印刷手段Ｐの間に介在させることにより、後述する前背景画像と画像合成することが可能になる。
　【００９９】
　前記合成手段６５は、撮影手段Ｊにより撮影された撮影映像を電子データとして一旦記憶するフレームメモリ６６と、前背景となる複数種の合成画像を予め用意する記憶部６８とから構成され、前記合成画像をフォトブースＡの正面に配置された画面Ｇ１を見ながら、同正面に設けられる操作部６を被撮影者が操作することによって好みの合成画像が選択可能で、且つ選択した合成画像と前記フレームメモリ６６に記憶された電子データとを合成部６７で合成することができる。
　【０１００】
　前記画面Ｇ１の表示装置Ｇとしては、液晶やＣＲＴ又はプラズマディスプレー、乃至はＬＥＤディスプレーなどの画像を表示できるものであれば何でも適応可能である。
　【０１０１】
　前記印刷手段Ｐは、前記合成部６７で合成された画像の電子データを一旦記憶するフレームメモリＰ２と、このフレームメモリＰ２の電子データに基づきシール紙Ｕに印刷する印刷部Ｐ３と、当該印刷部Ｐ３による印刷を制御する制御部Ｐ１とから構成されている。
　【０１０２】
　前記合成手段６５により記憶部６８に予め用意された前景や背景を撮影手段Ｊで撮影された映像とを合成しない場合は、前記フレームメモリＰ２には、撮影手段Ｊにより撮影した撮影映像だけが書き込まれ、印刷部Ｐ３で印刷するようにすることができる。
　【０１０３】
　前記印刷部Ｐ３としては、ライン型のインクジェットなどインクリボン等を介さず直接シール紙Ｕに印刷可能なものであれば適宜採用することができる。
　【０１０４】
　前記切断手段６０は、シール紙の長さ方向に所定間隔で設けられた複数の認識マークＵ２を認識するセンサ６１と、このセンサ６１により検知した認識マークＵ２の数をカウントし、金銭カウント手段５２から転送された金額に応じてシール紙Ｕの長さＬを決定し切断する切断部６２とから構成されている。
　【０１０５】
　前記シール紙Ｕの長さＬは、前記印刷部Ｐ３での印刷可能な長さになるように、予め設定されている。つまり、印刷部Ｐ３で印刷する印刷領域Ｎの長さが２０センチメートル必要な時は、少し余裕をもって２１センチメートルの長さＬで切断するようにしている。前記認識マークＡ１としては、この形態２では黒色のマークをシール紙Ｕに一定間隔で設けるように構成しているが、これに限らず穴を一定間隔に穿つようにするなど任意である。
　【０１０６】
　上述したフォトブースＡのコイン投入から印刷までのフローを示したのが図１０である。前述したように金銭カウント手段５２にコインが投入されると、被撮影者の操作部Ｂの操作により、前背景画像の選択が行われる。そして、被撮影者の撮影手段Ｊによる撮影が行われ、その撮影映像と選択された前背景画像とが合成部６７で合成される。また、コイン投入に連動して切断手段６０は、ロール状に巻き取り収納されたシール紙Ｕをセンサ６１で認識マークＵ２数をカウントしながら繰り出し、その投入された金銭の額に応じて、予め設定された認識マークＵ２のカウント数を数えて切断部６２で切断を行う（第７図、第８図参照）。
　【０１０７】
　印刷手段Ｐで印刷する印刷領域Ｎに必要な長さＬに切断されたシール紙は切断手段Ｐに図示しない搬送手段により送られ、印刷部Ｐ３によって前記フレームメモリＰ２に記憶した電子データを印刷する。
　【０１０８】
　第９図に示すように、本発明の形態２では、２ブロックＦを最小単位として、印刷することができるようにしている。第９図において、Ｎは印刷領域を示す。
　【０１０９】
　２ブロックを最小単位として印刷できるように、前記フレームメモリＰ２には２ブロックの映像情報が電子データとして記憶するようにしており、このフレームメモリＰ２に記憶された電子データを全て印刷すると、２ブロックＦの印刷が終了できるようにている。
　【０１１０】
　したがって、被撮影者は、印刷する最小単位として２ブロックＦの印刷を行うことが可能で、この最小単位の印刷に必要な投入コイン数を例えば２００円とすると、１００円追加投入するごとに２ブロックＦずつ印刷領域Ｎを増やすことが可能となる。この場合、図５の４ブロックＦ印刷は、３００円、８ブロック印刷は５００円を金銭カウント手段３にコイン投入する必要がある。又、上述した各ブロックＦには、同じ映像を印刷することもできるし、それぞれ異なる前景または背景を合成した異なる映像を印刷することもできる。さらに長さＬ方向の複数ブロックを使用して、ユーザ（被撮影者）の全身映像を映すようにしてもよい。
　【０１１１】
（実施の形態３）
　第１１図乃至第１４図に示すのは前記フォトブースＡの形態３である。この形態３が、形態２と最も異なる点は、シール紙Ｕに合成画像を印刷手段Ｐにより印刷した後、切断手段６０により切断するようにしている点である。つまり形態２では金銭カウント手段５２から転送される投入された金額に応じて切断長さＬを決定していたが、この形態３では、印刷手段Ｐの印刷終了を受けて切断手段６０によりシール紙Ｕを切断するようにしている。形態２のフローに対応する形態３のフローを示したのが第１２図である。
　【０１１２】
　このように、印刷終了を切断手段６０が印刷手段Ｐから受けて切断を行う方式にすることを示したが、この他には、センサ６１によって最終の印刷された映像情報を自動検出して切断する方式でも良い。最終の印刷であるか否かは、印刷する映像情報の長さ方向のピッチ（印刷ブロックＦと次の印刷ブロックＦとの長さ方向の間隙）を一定に定めておき、このピッチ内に次の印刷された映像が存在しない時に、最終の印刷であることを認識し、切断するように構成する。
　【０１１３】
　また、第１１図において形態２と同一の構成は同一の符号を付しており、同一の機能等を有するものについては説明を省略する。
　【０１１４】
　形態３では、４ブロックの映像情報の電子データを一括してフレームメモリＰ２に記憶し、最小単位（１回分）の印刷を４ブロックとしている。第１１図に示したのは、最小単位を繰り返し４回印刷したものを例示している。
　【０１１５】
（実施の形態４）
　第１５図及び第１６図に示すのが形態４である。この形態４は、フレームメモリＰ２に記憶した映像情報の電子データを縦又は横に引き延ばし、ワイドモードで印刷できるように構成したもので、第１５図及び第１６図に同一符号を付したものは同一の構成を示し、同一の機能等を有するものは説明を省略している。
　【０１１６】
　この形態４でフレームメモリＰ２に記憶される映像情報の電子データは、１ブロックとし、第１６図に示すように最小印刷単位を１ブロックとしている。第１６図にワイドモードで示したのは、フレームメモリ１２に記憶した１ブロックの映像情報の電子データを一方向に拡大したもので、一方向への拡大の手法としては、公知の画像処理における補間処理などを制御部Ｐ１で行うことにより達成できる。
　【０１１７】
　このワイドモードを選択する場合は、金銭カウント手段３に投入される金額に応じてワイドモードの印刷領域Ｎが直接決定されるか、操作部Ｂの操作によって同一の前記金額で２ブロックかワイドモードかが選択可能で、操作部Ｂでワイドモードを選択することにより間接的に印刷領域Ｎが決定される場合が考えられるが、本発明はいずれの方法を採用することも可能で、又いずれの方法に限定されるものでもない。形態４では前者のように、金銭カウント手段５２に投入された金額によってワイドモードの印刷領域Ｎが決定され、その印刷領域を印刷するに必要な長さＬのシール紙が切断により得られるようにしている。
　【０１１８】
　なお、上記形態２乃至４においては、被印刷物としてシール紙Ｕを例示して説明したがこれに限らず、普通紙や、特殊な紙（例えば、サーマルヘッドで印刷する感熱紙や、サーマルヘッドの温度によってインクリボンを使わず前述したカラー発色する紙とは、例えばマイクロカプセルを紙の表面に層状に配置し用いたものが知られている）など適宜適応することが可能である。
　【０１１９】
　また、形態２では幅方向にｍ＝３ブロック、形態３ではｍ＝４ブロック、形態４ではｍ＝２ブロックとしたが、前記ブロック数は、１個以上であれば幅方向にいくつ並べたものでも設定可能である。また、長さ方向のブロック数（ｎ）についても、１個以上であれば金銭カウント手段５２に投入された金額により適宜数増加するように設定するように構成することができる。
　【０１２０】
（実施の形態５）
　この発明の一実施の形態５を第１９図乃至第２３図に基づいて以下に説明する。
　【０１２１】
　第１９図に示すのは、本発明のフォトブースの一例としてアイロンプリントシール作成機に適用した実施の形態５を示すブロック図である。
　【０１２２】
　前記アイロンプリントシール作成機は、人物を作成するためのカメラＪと、カメラＪで撮影された映像を電子情報として記憶する第１のメモリ６６と、予め用意された前景や背景やタイトル文字などの図柄の電子イメージ情報を記憶する電子イメージ記憶手段６８と、前記第１のメモリ６６に記憶された電子情報、及び前記電子イメージ記憶手段６８に記憶された電子イメージ情報とが合成回路６７により合成され、合成された電子情報はプリンタＰに出力されアイロンプリントシール原紙７０（印刷済みのアイロンプリントシールは７１として図に表している）に印刷されるように構成されている。
　【０１２３】
　前記プリンタＰは、合成回路６７で合成された図柄等の電子情報を記憶する第２のメモリＰ２と、当該第２のメモリＰ２に一旦記憶された図柄等の電子情報を、サイズ決定手段７５を使用者が操作することにより決定された大きさ（サイズ領域）でアイロンプリントシール原紙３０に印刷するため分割処理を行う分割手段Ｐ５と、分割された電子情報を印刷するプリンタヘッドＴとを主な構成としている。この形態では、プリンタＰの内部に前記分割手段Ｐ５を備える構造として説明したが、本発明はこれに限定されず、分割手段Ｐ５は、前記第２のメモリＰ２とプリンタヘッドＴとの間にあれば、プリンタＰに内蔵される必要はない。
　【０１２４】
　次に、第２０図に示すように、第２のメモリＰ２に日の丸の絵の電子情報が記憶されている例で、前記分割手段Ｐ５の働きについて説明する。この第２のメモリＰ２に記憶された絵の電子情報をＡ乃至Ｄの４分割し、その４分割した第２のメモリＰ２のＡ乃至Ｄの領域から分割手段Ｐ５が順次電子情報を読み出す。４分割にする場合の第２のメモリＰ２からの読み出し順序等の取り決めは、分割手段Ｐ５が有するプログラムによって予め取り決められている。勿論、印刷するサイズ領域及びプリンタヘッドＴの最大印刷サイズに鑑み、４分割に限らず２分割、８分割、１６分割にすることも可能である。
　【０１２５】
　第２のメモリＰ２に記憶した電子情報を、１フレームにつき４分割するか、１６分割するかはアイロンプリントシール作成機の使用者が、サイズ決定手段７５によって好みのサイズを決定すると、前記分割手段Ｐ５がそれに合わせて分割数を決定する。勿論、サイズ決定手段７５により決定されたサイズが分割することなく前記プリンタヘッドＴで印刷できる場合は、前記分割手段Ｐ５が第２のメモリＰ２の電子情報を分割することなく１枚に印刷される。
　【０１２６】
　また、第２のメモリＰ２の電子情報を縮小して印刷する場合は、前述したシール作成機と同様に、第２のメモリＰ２の電子情報を間引きしながら読み出し、プリントヘッドＴに送って印刷することにより縮小されたアイロンプリントシールを得ることができる。縮小した場合の余白を利用して、縮小した印刷を繰り返し行っても良い。縮小して印刷する用紙を写し絵として使用できるものとすれば、爪に貼るネイルアート的な使用方法を取ることも可能である。
　【０１２７】
　さらに、前記第２のメモリＰ２と後述するＣＲＴ等の表示装置Ｇとを接続し、印刷する前の合成図柄を表示装置Ｇに表示させ、使用者がどのような合成図柄が印刷されるのかを確認できるようにすると良い。
　【０１２８】
　上述したアイロンシール作成機の全体正面から見た状態は、前述した第５図と同様である。以下主として第５図を参照しつつ説明する。
　【０１２９】
　前記コインセレクタ５２は、前述したカメラＪや合成部６７及びプリンタＰを制御するＣＰＵ等の図示しない制御装置に接続されており、コインセレクタ５２の硬貨投入口５２Ａに硬貨が投入されないと、アイロンプリンタシール原紙への印刷等が一切行えないようにしている。つまり、コインセレクタ５２に所定の料金が投入されて初めてアイロンプリントシール作成機が作動し、アイロンプリントシール原紙への印刷が行えるようになる。
　【０１３０】
　印刷が行われるとアイロンプリントシール３１は、前記払い出し口Ｄから払い出されるが、前記払い出し口Ｄがアイロンプリントシール作成機の設置場所等の関係から制限されるため、Ａ０サイズに対応できるといったようにすると設置場所が制限されるため、余り大きいサイズに対応することができないばかりか、大きいサイズに対応できるようにできたとしても、縮小したアイロンプリントシールを得る場合には、不用意に大きなアイロンプリントシール原紙に印刷しなければならない不都合が生じる。本実施の形態では、前述したような分割手段Ｐ５を設けているから、印刷するプリンタＰは汎用的なＡ４やＢ４用のプリンタヘッドＴを使用することができるから、前述したような問題は生じ難い。
　【０１３１】
　１５は、デジタルカメラで撮影した映像をメモリカードに記憶し、そのメモリカードから電子情報を読みとるための読み取り手段である。詳しくは、以下の実施の形態の変形例で説明する。
　【０１３２】
　第２１図に示すのは、この実施の形態に例示したアイロンプリントシール作成機の動作フロー図を示し、このフロー図に基づきゲームの流れを以下に説明する。
　【０１３３】
　まず使用者がコインセレクタ５２の硬貨投入口５２Ａから硬貨を投入する（コイン入力）。コインセレクタ５２への硬貨の投入が検知されると、前記図示しない制御部は、表示装置Ｇに対し図柄モードの選択画面を表示し、使用者に規定図柄を主とした図柄のアイロンプリントシールを作成する規定図柄モードか、或いは自らの映像をカメラ１で撮影して、この撮影した自分の絵を主とした図柄のアイロンプリントシールを作成する撮影画像モードのいずれをプレーするかを選択する（図柄モードの選択）。この選択は前記制御部に接続された操作手段を使用者が操作して行われる。
　【０１３４】
　規定図柄モードを使用者が選択すると、どの規定図柄の取り込みを行うかを使用者に選択させるための画面が表示装置Ｇに表示される（規定図柄の取り込み）。この画面には、複数の規定図柄を縮小して複数表示させ、縮小された規定図柄から第２３図の操作手段Ｂを操作して使用者が、どの規定図柄を取り込むかが決定される。この規定図柄は、第１９図における電子イメージ情報６８から読み出される。
　【０１３５】
　次に、使用者が表示装置Ｇに表示された規定図柄を選択し、その選択した図柄を画面上のどの位置に配置するかを前記操作手段Ｂにより操作する（規定図柄の選択／位置決定）。
　【０１３６】
　規定図柄の選択及び選択した規定図柄の位置が使用者によって決定されると、前記第１９図における第２のメモリＰ２に書き込みを行う（取り込み）。
　【０１３７】
　そして、「誕生日おめでとう」とかの定型のメッセージや、その場で入力できる不定形のメッセージを使用者が前記操作手段Ｂにより入力を行うと、前記第２のメモリＰ２に挿入して書き込まれる（定型／不定形メッセージの入力）。
　【０１３８】
　更に、前記第２のメモリＰ２に書き込まれた電子情報を、どの大きさのサイズ領域に印刷するかを選択する画面が表示装置Ｇに表示される。この表示装置Ｇを見ながら前記サイズ決定手段７５を使用者が操作してアイロンプリントシール原紙に印刷する大きさを決定する（アイロンプリント分割方法の選択）。表示装置Ｇに表示して選択される方法は様々であるが、１分割、２分割、４分割、といった分割数を選択させるようにしてもよい。このように分割数を選択させる場合には、「２分割の場合は２つを合わせるとＢ４サイズのアイロンプリントシールが得ることができます」などのメッセージで印刷されるアイロンプリントシールの大きさを使用者に認識させるようにすることが必要である。この形態では、１０ｃｍ×１０ｃｍ、３０ｃｍ×３０ｃｍ、といったように複数のサイズ群から使用者が選択できるように構成している。
　【０１３９】
　前記複数サイズ群がら選択させるこの形態の場合において、前記サイズ決定手段７５により決定された印刷サイズが、アイロンプリントシール作成機に内蔵するプリンタでは一回の印刷が不可能な場合、分割手段Ｐ５が第２のメモリＰ２に記憶する電子情報を分割してプリンタヘッドＰ３でアイロンプリントシール原紙３０に印刷させる。分割して出力する場合には、音声又は表示装置Ｇにて１回の印刷ができないので、「複数分割して印刷します」との明示を行い、分割印刷をすることへの了解を促すようにしている。
　【０１４０】
　上述したステップを経て選択された印刷サイズでプリントヘッドＰ３により印刷を行う（印刷）。
　【０１４１】
　次に撮影画像モードを選択した場合について説明する。撮影画像モードが選択されると、第１９図における図柄等の電子イメージ情報６８から背景／フレーム図柄画像を取り込み、前記表示装置Ｇに縮小して配置する（背景／フレーム図柄画像取り込み）。ここで表示される背景やフレームは、後に撮影する人物映像等の映像と合成される。前記フレームとは、シール作成機等でも用いられている枠のことで、ハート型やリボンの形状のフレームで撮影した人物映像を取り囲んで飾り付けを行うものである。
　【０１４２】
　表示装置Ｇに複数の背景やフレームが表示されると、その表示された背景やフレームから第５図のボタンスイッチ等の操作手段Ｂを操作して、どの背景やフレームを使用するかを使用者により選択が行える（背景／フレーム選択）。
　【０１４３】
　背景／フレームの選択が終了すると、カメラＪで使用者を撮影する（撮影モード）。撮影した映像は電子情報として第１のメモリ６６に書き込まれ、この電子情報と、さきほど選択した背景／フレームとの合成を合成回路６７で行う。前記撮影した映像は、第１のメモリ６６に書き込まれる際に図示しない背景抜き回路（いわゆるクロマキーを使用したブルーバック回路）で人物映像だけを切り抜いた（背景は透明として扱う）電子情報に変換されている。したがって、合成回路４では、背景の上に人物映像を優先した重ね書きをし、更にその上からフレームの重ね書きを行った電子情報を第２のメモリＰ２に書き込む。書き込んでから後の流れは、前述した規定図柄モードを選択した場合と同様である。
　【０１４４】
　第２４図、第２５図に基づいてこの実施の形態の変形例について説明する。この変形例は、前述した実施の形態での図柄等の電子イメージ情報６８に換え、デジタルカメラ等で撮影した映像を電子情報として記憶するメモリカード等を読み取る読み取り手段１５を設けた点、及び当該読み取った電子情報を一旦記憶する第３のメモリ１６を備える点、並びに前述した分割手段Ｐ５に換え、サイズ決定手段７５によって決定された印刷するサイズ領域の大きさに拡大／縮小する印刷サイズ変更手段１４を設けている点で相違する。前記読み取り手段１５は、前述したようなメモリーカードの読み取りを行えるものの他、フロッピーに記憶された電子情報を読み取れるような読み取り装置に変更することも可能である。
　【０１４５】
　また、他の読み取り手段１５としては、先に説明した電子情報を記憶するメモリーカード等の記憶媒体を読み取るものに限らず、第２のカメラを採用し、「ぬいぐるみ」や自らが描いた風景画、或いはキーホルダなどの外観を撮影（読み取る）するように構成することも可能である。そして、前記読み取り手段１５で読み取られた映像は、一旦、第３のメモリ１６に記憶される。
　【０１４６】
　更に、前述した第２１図のフロー図におけるサイズ決定手段７５により選択させる画面には、先の形態と同様に、使用者が最終的に印刷されるアイロンプリントシールの大きさが認識できるように選択ができるような方法を採用している。つまり、最終的に印刷される大きさが認識できる方法とは、「どのサイズで印刷しますか？」との音声メッセージと共に、使用者がサイズ決定手段を用いてＡ５を入力するとＡ５サイズで印刷されるとか、縦サイズ／横サイズ寸法を直接にサイズ決定手段７５により入力させるなど任意に設けることができる。また、アイロンプリントシールを貼る対象物（例えばＴシャツ用、テーブルクロス用、ハンカチ用、ネイルアート用）を表示画面５を見ながら選択できるようにすることもできる。
　【０１４７】
　なお、前記サイズ決定手段７５の使用者による選択方法は、前記操作手段Ｂを兼用して決定することができるように構成してある。
　【０１４８】
　前記サイズ決定手段Ｂにより印刷されるサイズが決定されると、そのサイズ領域に応じた図柄が、第２５図に示すように、プリンタヘッドＰ３により印刷される。第２６図に示すのは、印刷された図柄を例示した図である。第２７図は、第２６図と同様に印刷された図柄を例示した図であり、第２６図に示した図柄を複数分割して印刷した例を示す。第２７図に示すように、縮小印刷する場合は、余った領域を有効利用する印刷を行えるように構成することが好ましい。
　【０１４９】
　第２８図に示すのは、前記印刷サイズ変更手段１４の拡大又は縮小動作の一例を示す図である。
　【０１５０】
　前記第２のメモリＰ２に記憶された電子情報は、分割手段１４によって１行づつプリンタヘッドＰ３に出力され、この出力された１行づつの電子情報をライン型のサーマルヘッドＴにより、アイロンプリントシール原紙３０に印刷される。印刷されたものがアイロンプリントシール３１である。
　【０１５１】
　前記第２のメモリＰ２に記憶された電子情報を１対１で印刷する場合（１対１モード）、プリンタヘッドＰ２に内蔵されたラインメモリＰ６には、１行の電子情報が印刷サイズ変更手段１４を介してそのまま出力され、この出力された電子情報をサーマルヘッドＴにより印刷する。
　【０１５２】
　また、前記第２のメモリＰ２に記憶された電子情報を縮小で印刷する場合（縮小モード）、第２のメモリＰ２の１行目の電子情報を印刷サイズ変更手段１４により間引きする変更を施し、ラインメモリ１３Ｂに出力され、この出力された電子情報をサーマルヘッド１３Ａにより印刷する。
　【０１５３】
　さらに、前記第２のメモリＰ２に記憶された電子情報を拡大で印刷する場合（拡大モード）、第２のメモリＰ２の１行の電子情報を、印刷サイズ変更手段１４がピクセルごとの電子情報を一つおきに出力すると同時に、歯抜けとなる間の電子情報は、補間処理により新たな電子情報を作成してラインメモリＰ６に出力する。そして、ラインメモリＰ６に記憶（ラッチ）された電子情報をサーマルヘッドＴにより印刷する。
　【０１５４】
　前記プリンタヘッドＰ３には、ラインメモリＰ６を内蔵する構成のものを採用したが、これはライン型のサーマルヘッドＴを使用し、１ライン（行）単位で一挙に印刷するために必要
なも
　【０１５５】
　この発明におけるプリンタヘッドＰとは、第１乃至第３のメモリから前記分割手段Ｐ５又は印刷サイズ変更手段１４を介して電子情報を受け取り、アイロンプリントシール原紙３０に前記電子情報を印刷（再現）できるものであれば、サーマルヘッドであろうとインクジェットであろうと何でも採用することができる。
　【０１５６】
　さらに、第２８図を参考とし、第２０図を再度参照しつつ、前記分割手段１２の分割方法について追加的な説明をする。第２８図において符号１４が前述した実施の形態の場合の分割手段１２に該当する。そして、分割手段Ｐ５は第２のメモリＰ２の行方向の各ピクセルアドレスをカウントするカウンタと、列方向の各ピクセルアドレスをカウントするカウンタとを備えている。
　【０１５７】
　ここで、前記メモリＰ２の行数をｍ行、列数をｎ列とすると、４分割の場合は、まず第２８図のラインメモリＰ６に対して１行目のｎ／２列までの電子情報を出力する。そして、次に２行目の先頭アドレスからｎ／２までの電子情報を出力し、これをｍ／２行まで繰り返し行う（第２０図のａの印刷終了）。次に、未だ印刷されていない１行目のｎ／２列を先頭にして電子情報を読み出し、ｎ列までの電子情報をラインメモリ１３Ｂに出力する。そしてｍ／２行まで各行でのｎ／２列を先頭アドレスとして１／２行単位で、ラインメモリＰ６に電子情報を出力し、サーマルヘッドＴで印刷する（第２０図のｂの印刷終了）。ｍ／２行までの印刷が終了すると、ｍ／２行の１列目からｎ／２列までの電子情報を印刷し、これをｍ行まで繰り返す（第２０図のｃの印刷終了）。
　【０１５８】
　ｍ行目での印刷が終了すると、ｍ／２行のｎ／２列を先頭にｎ列までの電子情報を１単位としてラインメモリＰ６に出力し、同様にｎ／２列を先頭としてｍ行までこれを繰り返して印刷を行う（第２０図のｄの印刷終了）。
　【０１５９】
　前述した分割の方法では、４分割されたａ乃至ｄのアイロンプリントシール３１を合体させて所定の図柄を得ることができるようにしているが、その合体の際に必要となる「合体しろ（スペース）」を設けることもできる。合体しろを設けることにより、合体させたことを他人に悟られにくい図柄を簡単に得ることができるメリットが生じる。
　【０１６０】
　合体しろ設け方は様々考えられるが、先に示したｎ行ｍ列の電子情報を再現する場合を例にとって説明すると、４分割の場合の例えば図２のＢの図柄を得ようとする場合、先頭の列アドレスをｎ／２とするのではなく、ｎ／２−αとしてαピクセル戻ってダブリ印刷を行うようにすれば簡単に対応することができる。このような制御は、分割手段１２のプログラムを変更することにより行うことができる。
　【０１６１】
　産業上の利用可能性　以上のように、本発明は、予め記憶させた前景や背景などのフレーム絵柄と、その場で撮影した映像とを合成するフォトブースシステムに有用である。
【図面の簡単な説明】
　【図１】　本発明の実施の形態１に係わるフォトブースのブロック図である。
　【図２】　本発明の実施の形態１によるフォトブースのフロー図である。
　【図３】　本発明の実施の形態１によるフォトブースの側面断面図である。
　【図４】　本発明の説明図であり、スタンプ本体への映像再現状態を説明するための断面図である。
　【図５】　本発明の実施の形態２他を説明するために使用されるフォトブースの正面図である。
　【図６】　実施の形態２によるフォトブースの制御ブロック図である。
　【図７】　シール紙を切断及び印刷する状態を模式的に示した斜視図である。
　【図８】　第７図の平面図である。
　【図９】　様々な印刷形態を示す模式図である。
　【図１０】　実施の形態２のフロー図である。
　【図１１】　実施の形態３のフォトブースのブロック図である。
　【図１２】　実施の形態３のフロー図である。
　【図１３】　シール紙を切断及び印刷する状態を模式的に示した斜視図である。
　【図１４】　第１３図の平面図である。
　【図１５】　実施の形態４のフォトブースの制御ブロック図である。
　【図１６】　様々な印刷形態を示す模式図である。
　【図１７】　従来から知られているシール紙の平面図及びその側面図である。
　【図１８】　従来の印刷方式を説明するための説明図である。
　【図１９】　実施の形態５のフォトブースのブロック図である。
　【図２０】　分割手段の働きを説明する説明図である。
　【図２１】　実施の形態５におけるフォトブースのフロー図である。
　【図２２】　フォトブースにおいて縮小印刷する場合の説明図である。
　【図２３】　フォトブースにおいて拡大印刷する場合の説明図である。
　【図２４】　実施の形態５の変形例を示すブロック図である。
　【図２５】　実施の形態５の変形例の動作接メイズである。
　【図２６】　アイロンプリントシール原紙に画像／映像が印刷された状態を示す説明図である。
　【図２７】　アイロンプリントシール原紙に画像／映像が印刷された状態を示す説明図である。
　【図２８】　印刷サイズ変更手段による拡大又は縮小動作の一例を示す説明図である。